(57)【要約】【課題】本発明は、環境光に応じた電力制御を安価かつ効率的に行う。【解決手段】電源制御装置１は、電力で動作する機器に接続され、太陽電池２が環境光を受光して発電する。電源制御装置１は、比較器６が、太陽電池２の発電電力で動作し、該発電電力量に基づいて前記環境光の光量を検出する。さらに、電源制御装置１は、パルス生成回路９が、太陽電池２の発電電力で動作し、制御対象の機器から該機器の電力状態を示す動作信号Ｓｃを取得し、該動作信号Ｓｃと比較器６の検出する前記環境光の光量に基づいて、該機器の電力状態を指示する電源制御信号Ｓｇを出力する。【選択図】          図１
2015005076.tif 000002
【特許請求の範囲】
【請求項１】
電力で動作する機器に接続され、該機器の電力制御を行う電源制御装置であって、
環境光を受光して発電する光発電手段と、
前記光発電手段の発電電力で動作し、該発電電力量に基づいて前記環境光の光量を検出する光量検出手段と、
前記光発電手段の発電電力で動作し、前記機器から該機器の電力状態を示す状態信号を取得し、該状態信号と前記光量検出手段の検出する前記環境光の光量に基づいて、該機器の電力状態を指示する電力制御信号を出力する制御手段と、
を備えていることを特徴とする電源制御装置。
【請求項２】
前記光量検出手段は、
前記環境光の光量を予め設定されている設定光量と比較して、比較結果を出力し、
前記制御手段は、
前記光量検出手段の出力する前記比較結果及び状態信号に基づいて、前記電力制御信号を出力することを特徴とする請求項１記載の電源制御装置。
【請求項３】
前記電源制御装置は、
前記設定光量を適宜の光量に設定する設定手段を備えていることを特徴とする請求項２記載の電源制御装置。
【請求項４】
前記制御手段は、
前記状態信号に応じて、前記環境光の光量が前記設定光量を上回ると、前記機器の電力のオンを指示し、該環境光の光量が該設定光量を下回ると、該機器の電力のオフを指示する前記電力制御信号を出力することを特徴とする請求項１から請求項３のいずれかに記載の電源制御装置。
【請求項５】
前記電源制御装置は、
前記機器が二次電池による電池電力と外部電力の２系統の電源電力を備えている場合に、
前記制御手段は、
前記状態信号と前記光量検出手段の検出する前記環境光の光量に基づいて、該機器の前記二次電池への充電を制御する充電制御信号をも出力することを特徴とする請求項１から請求項３のいずれかに記載の電源制御装置。
【請求項６】
外部装置からの電力制御信号によって制御される電力によって画像処理動作を行う画像処理装置であって、
前記外部装置として、請求項１から請求項５のいずれかに記載の電源制御装置が接続されることを特徴とする画像処理装置。
【請求項７】
電力で動作する機器と、該機器の電力を制御する電力制御装置と、が接続される電力制御システムであって、
前記電力制御装置は、
環境光を受光して発電する光発電手段と、
前記光発電手段の発電電力で動作し、該発電電力量に基づいて前記環境光の光量を検出する光量検出手段と、
前記光発電手段の発電電力で動作し、前記機器から該機器の電力状態を示す状態信号を取得し、該状態信号と前記光量検出手段の検出する前記環境光の光量に基づいて、該機器の電力状態を指示する電力制御信号を出力する制御手段と、
を備え、
前記機器は、
自機の電力状態を示す状態信号を前記電力制御装置に出力する状態信号出力手段と、
前記電力制御装置からの前記電力制御信号に基づいて、自機の電力状態を制御する電力状態制御手段と、
を備えていることを特徴とする電力制御システム。
【請求項８】
電力で動作する機器に接続され、該機器の電力制御を行う電源制御装置における電源制御方法であって、
環境光を受光して発電する光発電手段の発電電力で動作し、該発電電力量に基づいて前記環境光の光量を検出する光量検出処理ステップと、
前記光発電手段の発電電力で動作し、前記機器から該機器の電力状態を示す状態信号を取得し、該状態信号と前記光量検出処理ステップで検出される前記環境光の光量に基づいて、該機器の電力制御を行う電力制御信号を出力する制御処理ステップと、
を有していることを特徴とする電源制御方法。
【発明の詳細な説明】
【技術分野】
【０００１】
本発明は、電源制御装置、画像処理装置、電源制御システム及び電源制御方法に関し、詳細には、環境光に応じた電力制御を安価かつ効率的に行う電源制御装置、画像処理装置、電源制御システム及び電源制御方法に関する。
【背景技術】
【０００２】
プリンタ装置、複合装置、ファクシミリ装置、複写装置及びコンピュータ等の画像処理装置においては、近年の省エネルギーの要望から待機状態で所定の待ち時間が経過すると、消費電力の削減を行う省電力状態（省エネルギー状態）に移行し、所定の復帰要因に基づいて電力の供給を再開して通常動作可能な待機状態に復帰する省電力モードを備えている。
【０００３】
また、二次電池を備えて電池駆動可能な画像処理装置においては、商用電源の電気料金が昼間よりも深夜の方が安価であることから、電気料金の安価な深夜に二次電池への充電を行うことが行われている。
【０００４】
そして、従来、太陽光発電部と、前記太陽光発電部から商用交流電源に売電を行うとともに商用交流電源から電力供給を受ける電力入出力部と、商用電源からの電力供給を制限する供給制限部と、前記供給制限部による制限の可否を制御する制御部とを有する電力供給システムが提案されている（特許文献１参照）。
【０００５】
すなわち、この従来技術の電力供給システムは、制御部を設けて、制御部で供給制限部及び電力入出力部を制御する。そして、この電力供給システムは、日中は、商用電源からの電力供給を拒否して、太陽光発電部からの電力を売電可能とし、電気料金の安い深夜に、商用電源からの電力供給を可能にしている。
【発明の概要】
【発明が解決しようとする課題】
【０００６】
しかしながら、上記公報記載の従来技術にあっては、制御部を設けて、制御部で、電力入出力部と供給制限部を制御して、単に、電気料金に応じて電源供給元を、太陽光発電部と商用電源部とに切り替えている。したがって、太陽光発電部以外に、制御部、電力入出力部及び供給制限部を必要とし、装置が大型化するとともに、価格が高くつくという問題があった。
【０００７】
そこで、本発明は、環境光に基づく電力制御を、安価かつ効率的に行うことを目的としている。
【課題を解決するための手段】
【０００８】
上記目的を達成するために、請求項１記載の電源制御装置は、電力で動作する機器に接続され、該機器の電力制御を行う電源制御装置であって、環境光を受光して発電する光発電手段と、前記光発電手段の発電電力で動作し、該発電電力量に基づいて前記環境光の光量を検出する光量検出手段と、前記光発電手段の発電電力で動作し、前記機器から該機器の電力状態を示す状態信号を取得し、該状態信号と前記光量検出手段の検出する前記環境光の光量に基づいて、該機器の電力状態を指示する電力制御信号を出力する制御手段と、を備えていることを特徴としている。
【発明の効果】
【０００９】
本発明によれば、環境光に基づく電力制御を、安価かつ効率的に行うことができる。
【図面の簡単な説明】
【００１０】
【図１】本発明の第１実施例を適用した電源制御装置の要部回路構成図。
【図２】画像処理装置の要部回路構成図。
【図３】切替回路と充電回路の回路構成図。
【図４】切替回路及び充電回路の蓄電池のみ使用時における各部の波形図。
【図５】切替回路及び充電回路のＡＣアダプタのみ使用時における各部の波形図。
【図６】切替回路及び充電回路の蓄電池からＡＣアダプタへの切替時における各部の波形図。
【図７】切替回路及び充電回路のＡＣアダプタから蓄電池への切替時における各部の波形図。
【図８】電源制御信号出力制御処理を示すフローチャート。
【図９】画像処理装置の電源状態と照度状態の説明図。
【図１０】第２実施例における電源制御装置の要部回路構成図。
【図１１】照明点灯中に電源スイッチオフしても自動電源オンする場合の説明図。
【図１２】照明点灯中においても電源スイッチオフによる電源オフ状態を維持している場合の説明図。
【図１３】抵抗切替方式で比較電圧を調整する電源制御装置の要部回路構成図。
【図１４】電源制御装置からの信号で蓄電池の充電制御を行う画像処理装置の要部回路構成図。
【図１５】充電制御信号出力制御処理を示すフローチャート。
【図１６】電源制御装置からの信号とコントローラからの信号に基づいて蓄電池の充電制御を行う画像処理装置の要部回路構成図。
【発明を実施するための形態】
【００１１】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１２】
図１〜図９は、本発明の電源制御装置、画像処理装置、電源制御システム及び電源制御方法の第１実施例を示す図であり、図１は、本発明の電源制御装置、画像処理装置、電源制御システム及び電源制御方法の第１実施例を適用した電源制御装置１の回路構成図である。
【００１３】
図１において、電源制御装置１は、太陽電池２、ダイオード３、レギュレータ４、コンデンサ５、比較器６、抵抗７、８、パルス生成回路９及び入力端子１０と出力端子１１等を備えている。
【００１４】
この電源制御装置１は、電力で動作する機器、例えば、図２に示すような画像処理装置２０に接続され、画像処理装置２０の設置位置と同じ設置環境に設置される。
【００１５】
太陽電池（光発電手段）２は、電源制御装置１、すなわち、画像処理装置２０の設置環境の環境光を受光し、受光光量（照度）に応じた電圧の発電電力を発電して、発電電力を、比較器６及びダイオード３を介してレギュレータ４へ出力する。
【００１６】
レギュレータ４は、入力電圧から電源制御装置１内で使用する装置電源電力Ｐｃを生成して、電源制御装置１の各部へ供給する。
【００１７】
比較器（光量検出手段）６は、例えば、所定幅のヒステリシス(応差)を有したヒステリシスコンパレータ回路が用いられており、上記太陽電池２から発電電力電圧Ｖｐが入力されるとともに、抵抗７を介して比較電圧Ｖｈが入力されている。比較器６は、上記レギュレータ４から装置電源電力Ｐｃが供給され、その出力と比較電圧Ｖｈの入力との間に、帰還抵抗８が接続されている。比較器６は、装置電源電力Ｐｃで動作し、発電電力電圧Ｖｐと比較電圧Ｖｈを比較して、発電電力電圧Ｖｐで示される設置環境の照度（光量）が、比較電圧Ｖｈ出示される規定の照度（設定光量）を上回ったか、下回ったかを検出する。比較器６は、この検出結果をパルス生成回路９に出力する。
【００１８】
パルス生成回路（制御手段）９は、上記レギュレータ４から装置電源電力Ｐｃが供給され、比較器６から上記検出結果が入力される。また、パルス生成回路９は、装置電源電力Ｐｃで動作し、電源制御装置１が適用される画像処理装置２０から該画像処理装置２０の電源状態を示す動作信号Ｓｃが、パルス生成回路９の動作を制御する照度検出Enable信号として入力される。パルス生成回路９は、動作信号Ｓｃを監視して、予め設定されている電源条件を満たすと、該画像処理装置２０の電源電力の起動／遮断を指示するパルス状の電源制御信号Ｓｇを出力端子１１から該画像処理装置２０へ出力する。
【００１９】
そして、電源制御装置１の適用される画像指示処理装置２０は、例えば、図２に示すように、その要部が回路構成されている。画像処理装置２０は、ＡＣアダプタ２１、切替回路２２、充電回路２３、蓄電池２４、電源生成回路２５、抵抗２６、電源起動／遮断回路２７、ＯＲ回路２８、操作部２９、ＯＲ回路３０及びコントローラ３１等を備えている。なお、画像処理装置２０は、図示しないが、画像処理に必要な各部、例えば、画像処理装置２０が複合装置である場合、画像読取部、画像形成部、用紙給紙部、ファクシミリ通信部等を備えており、これら各部は、コントローラ３１の制御下で動作する。
【００２０】
ＡＣアダプタ２１は、そのコードの先端に取り付けられているプラグ２１ａが、ＡＣ１００Ｖ等の商用電源のコンセントに着脱可能に挿入され、コードの他端側には、図示しないが、画像処理装置２０に離接可能に接続されるコネクタが接続されている。ＡＣアダプタ２１は、商用電源の電圧／電流を画像処理装置２０で利用可能な電圧／電流の外部ＤＣ電源電力に変換して画像処理装置２０の切替回路２２及び充電回路２３に供給する。
【００２１】
充電回路２３は、ＡＣアダプタ２１と切替回路２２との間のラインに接続されているとともに、蓄電池２４に接続されている。充電回路２３は、切替回路２２の制御下で、ＡＣアダプタ２１から供給される外部ＤＣ電源電力Ｖ＿ＡＣを利用して、充電電力Ｖ＿ＣＨを生成して、蓄電池２４を充電する。
【００２２】
蓄電池（二次電池）２４は、例えば、リチウムイオン電池等が用いられ、電池電力Ｖ＿ＢＡＴを切替回路２２へ供給する。
【００２３】
切替回路２２は、ＡＣアダプタ２１からの外部ＤＣ電源電力Ｖ＿ＡＣと蓄電池２４からの電池電力Ｖ＿ＢＡＴを択一的に選択して、選択電源電力Ｖ＿ＢＡＴ＿ＡＣとして、電源生成回路２５に出力する。また、切替回路２２は、電源電力の利用状況とＡＣアダプタ２１の接続状態に基づいて、充電回路２３に、ＡＣアダプタ２１からの外部ＤＣ電源電力Ｖ＿ＡＣを利用した蓄電池２４の充電を行わせる。
【００２４】
電源生成回路２５は、切替回路２２から供給される選択電源電力Ｖ＿ＢＡＴ＿ＡＣを利用して、電源電力Ｐａを生成して、電源起動／遮断回路２７に供給する。
【００２５】
電源起動／遮断回路（電力状態制御手段）２７は、電源電力Ｐａが入力されるとともに、ＯＲ回路３０から電源オン／オフ制御信号Ｓｐが入力される。電源起動／遮断回路２７は、電源オン／オフ制御信号Ｓｐがオンのときには、電源電力Ｐａから電源電力Ｐｂを生成して、コントローラ３１や画像処理装置２０の各部に供給し、電源オン／オフ制御信号Ｓｐがオフのときには、電源電力Ｐｂの出力を遮断する。
【００２６】
ＯＲ回路３０には、ＯＲ回路２８からの電源オン／オフ指示信号Ｓｓが入力され、ＯＲ回路２８には、操作部２９から該操作部２９の備えている電源スイッチ２９ａのオン／オフ信号Ｓｍ及び上記電源制御装置１からの電源制御信号Ｓｇが入力される。
【００２７】
すなわち、画像処理装置２０は、外部からの信号を入力するための信号入力端子３２を備えており、また、図示しないが、画像処理装置２０の電源状態を外部に通知する信号出力端子を備えている。この信号入力端子３２は、上記電源制御装置１の出力端子１１が接続され、信号出力端子は、電源制御装置１の入力端子１０が接続される。信号入力端子３２は、ＯＲ回路２８に接続されており、電源電力の起動／遮断を要求する電源制御信号Ｓｇが入力される。
【００２８】
ＯＲ回路２８は、電源スイッチ２９ａから該電源スイッチ２９ａのオンを示すスイッチオン信号が入力されるか、信号入力端子３２から電源電力の起動を要求する電源制御信号Ｓｇが入力されると、電源オンを指示する電源オン／オフ指示信号ＳｓをＯＲ回路３０及びコントローラ３１へ出力する。
【００２９】
ＯＲ回路３０は、ＯＲ回路２８から電源オンを指示する電源オン／オフ指示信号Ｓｓが入力されると、電源オンを指示する電源オン／オフ制御信号Ｓｐを電源起動／遮断回路２７に出力する。
【００３０】
電源起動／遮断回路２７は、電源オン／オフ制御信号Ｓｐに応じて、電源電力Ｐｂの供給と供給遮断を行う。
【００３１】
コントローラ（状態信号出力手段）３１は、電源電力Ｐｂが供給されると、起動し、起動中に、電源オン／オフ指示信号Ｓｓが入力されると、該電源オン／オフ指示信号Ｓｓに応じて、ＯＲ回路３０への電源電力Ｐｂの維持を指示する電源維持信号Ｓｉの出力／出力停止を行う。
【００３２】
ＯＲ回路３０は、上記電源オンを指示する電源オン／オフ指示信号Ｓｓまたは電源電力Ｐｂの維持を指示する電源維持信号Ｓｉのいずれかが入力されていると、電源オンを指示する電源オン／オフ制御信号Ｓｐを電源起動／遮断回路２７へ出力する。
【００３３】
そして、上記切替回路２２及び充電回路２３は、例えば、図３に示すように回路構成されている。切替回路２２は、３つのＦＥＴ４１、４２、４３及び抵抗４４、４５、４６等を備え、充電回路２３は、例えば、ＤＣ／ＤＣコンバータＩＣ等が用いられている。
【００３４】
切替回路２２は、ＡＣアダプタ２１からの外部ＤＣ電源電力Ｖ＿ＡＣが、ＦＥＴ４１及びＦＥＴ４３のドレインＤに供給され、また、ＢＴＯＮ信号として、ＦＥＴ４２のゲートＧに入力されている。ＦＥＴ４１とＦＥＴ４２は、そのソースＳ同士が接続され、ＦＥＴ４２のドレインＤには、蓄電池２４の出力端子が接続されていて、蓄電池２４からの電池電力Ｖ＿ＢＡＴが供給される。
【００３５】
ＦＥＴ４１は、そのゲートＧが充電回路２３のＡＣＯＮ端子に接続され、ＦＥＴ４３は、そのゲートＧが充電回路２３のＯＵＴ端子に接続されている。
【００３６】
充電回路２３は、そのＶＩＮ端子に外部ＤＣ電源電力Ｖ＿ＡＣが入力され、そのＡＣＩＮ端子に、抵抗４５と抵抗４６で分圧された外部ＤＣ電源電力Ｖ＿ＡＣが入力される。
【００３７】
この切替回路２２及び充電回路２３は、ＡＣアダプタ２１が非接続で蓄電池２４のみ使用時には、図４に示すように、各部の波形が変化する。
【００３８】
すなわち、この場合、図４に示すように、ＡＣアダプタ２１が非接続で、蓄電池２４のみが接続されているため、ＢＴＯＮがロー（Ｌｏｗ）レベルで、電池電力Ｖ＿ＢＡＴがハイ（Ｈｉｇｈ）レベルとなる。切替回路２２及び充電回路２３は、この電池電力Ｖ＿ＢＡＴがハイレベルであるため、ＦＥＴ４２がオンとなって、選択電源電力Ｖ＿ＢＡＴ＿ＡＣに、電池電力Ｖ＿ＢＡＴが供給される。なお、図４において、ＨＶＣＯＮＴは、コントローラ３１から送られてくる充電回路（ＤＣＤＣコンバータ）２３のイネーブル信号であり、以下の図においても、同様である。また、＋５Ｖは、画像処理装置２０のコントローラ３１等の回路に供給される電源電圧であり、＋３７Ｖは、画像処理装置２０の画像形成部等の駆動系統に供給される電源電圧である。
【００３９】
また、切替回路２２及び充電回路２３は、ＡＣアダプタ２１のみが接続されているときには、図５に示すように、各部の波形が変化する。
【００４０】
すなわち、この場合、図５に示すように、ＡＣアダプタ２１のみが接続されると、外部ＤＣ電源電力Ｖ＿ＡＣがハイレベル及びＡＣＩＮ端子がハイレベルになって、充電回路２３が、ＡＣアダプタ２１が接続されたことを検知し、ＡＣＯＫ端子をローレベルにする。
【００４１】
ＡＣＯＫ端子がローレベルになると、ＡＣＯＫ端子の接続されているＦＥＴ４１のゲートＧがローレベルになって、ＦＥＴ４１がオンし、選択電源電力Ｖ＿ＢＡＴ＿ＡＣに、外部ＤＣ電源電力Ｖ＿ＡＣが供給される。
【００４２】
さらに、切替回路２２及び充電回路２３は、蓄電池２４からＡＣアダプタ２１へ選択電源電力Ｖ＿ＢＡＴ＿ＡＣを切り替える場合には、図６に示すように、各部の波形が変化する。
【００４３】
すなわち、この場合、図６に「切替」として示すように、ＡＣアダプタ２１が接続されて、外部ＤＣ電源電力Ｖ＿ＡＣ及びＢＴＯＮがハイレベルになると、ＡＣＩＮ端子がハイレベルになる。充電回路２３は、ＡＣＩＮ端子がハイレベルに切り替わったことで、ＡＣアダプタ２１が接続されたことを検出し、ＡＣＯＮ端子をローレベルに切り替える。
【００４４】
切替回路２２は、ＡＣＯＮ端子がローレベルに切り替えられることで、ＦＥＴ４１がオンし、選択電源電力Ｖ＿ＢＡＴ＿ＡＣに供給される電源電力を、電池電力Ｖ＿ＢＡＴから外部ＤＣ電源電力Ｖ＿ＡＣに切り替える。
【００４５】
また、切替回路２２及び充電回路２３は、ＡＣアダプタ２１が取り外されて、ＡＣアダプタ２１から蓄電池２４へ選択電源電力Ｖ＿ＢＡＴ＿Ａを切り替える場合には、図６に示すように、各部の波形が変化する。
【００４６】
すなわち、この場合、図７に示すように、接続されていたＡＣアダプタ２１が取り外されると、外部ＤＣ電源電力Ｖ＿ＡＣ、ＢＴＯＮ及びＡＣＯＮ端子がハイレベルからローレベルに切り替わる。充電回路２３は、ＡＣＩＮ端子がハイレベルに切り替わったことで、ＡＣアダプタ２１が取り外されたことを検出し、ＡＣＯＮ端子をハイレベルに切り替える。
【００４７】
切替回路２２は、ＡＣＯＮ端子がハイレベルに切り替えられることで、ＦＥＴ４１がオフし、選択電源電力Ｖ＿ＢＡＴ＿ＡＣに供給される電源電力を、外部ＤＣ電源電力Ｖ＿ＡＣから電池電力Ｖ＿ＢＡＴに切り替える。
【００４８】
次に、本実施例の作用について説明する。本実施例の電源制御装置１は、環境光に基づく電力制御を、安価かつ効率的に行う。
【００４９】
電源制御装置１は、電源電力で動作する機器、例えば、図２に示した画像処理装置２０等に取り付けられ、設置環境の環境光に基づく電源電力の制御を安価かつ効率的に行う。
【００５０】
すなわち、本実施例の場合、電源制御装置１は、適用される外部装置である画像処理装置２０の設定環境の環境光を検出するとともに、該画像処理装置２０の電源状態に応じて、電源制御信号Ｓｇを画像処理装置２０へ出力する。
【００５１】
画像処理装置２０は、上述のように、ＡＣアダプタ２１からの外部ＤＣ電源電力Ｖ＿ＡＣと蓄電池２４からの電池電力Ｖ＿ＢＡＴを切替回路２２で切り替えて、選択電源電力Ｖ＿ＢＡＴ＿ＡＣとし、電源生成回路２５で電源電力Ｐａを生成する。
【００５２】
電源起動／遮断回路２７は、ＯＲ回路３０から電源オンを指示する電源オン／オフ制御信号Ｓｐが入力されない限り、電源生成回路２５の生成する電源電力Ｐａを遮断する。
【００５３】
そして、電源起動／遮断回路２７は、操作部２９の電源スイッチ２９ａのオン操作または信号入力端子３２からの電源オンを指示する電源制御信号Ｓｇの入力があると、ＯＲ回路２８、３０を介して、電源オンを指示する電源オン／オフ制御信号Ｓｐが入力される。
【００５４】
電源起動／遮断回路２７は、電源オンの電源オン／オフ制御信号Ｓｐが入力されると、電源電力Ｐａから電源電力Ｐｂを生成して、コントローラ３１や画像処理装置２０の各部に供給する。また、電源起動／遮断回路２７は、電源オン／オフ制御信号Ｓｐがオフのときには、電源電力Ｐｂの出力を遮断する。
【００５５】
コントローラ３１は、電源電力Ｐｂが供給されると、起動し、起動中に、電源オン／オフ指示信号Ｓｓが入力されると、該電源オン／オフ指示信号Ｓｓに応じて、ＯＲ回路３０への電源電力Ｐｂの維持を指示する電源維持信号Ｓｉの出力／出力停止を行う。
【００５６】
ＯＲ回路３０は、コントローラ３１から電源維持信号Ｓｉが入力されると、電源オンを指示する電源オン／オフ制御信号Ｓｐを電源起動／遮断回路２７に出力する。電源起動／遮断回路２７は、電源オンを指示する電源オン／オフ制御信号Ｓｐが入力されている間、電源電力Ｐａから電源電力Ｐｂを生成して、コントローラ３１や画像処理装置２０の各部に供給する。
【００５７】
そして、コントローラ３１は、電源起動／遮断回路２７による画像処理装置２０の電源状態（動作状態）を、例えば、動作信号Ｓｃとして、出力端子３１ａから電源制御装置１へ出力する。
【００５８】
電源制御装置１は、太陽電池２の発電する発電電力からレギュレータ４が生成した装置電源電力Ｐｃで動作する。そして、電源制御装置１は、比較器６が、太陽電池２の発電する発電電力の発電電力電圧Ｖｐと予め設定されている比較電圧Ｖｈを比較して、比較結果をパルス生成回路９に出力する。
【００５９】
パルス生成回路９は、電源制御装置１が適用される画像処理装置２０から該画像処理装置２０の電源状態を示す動作信号Ｓｃが入力される。パルス生成回路９は、動作信号Ｓｃを監視して、予め設定されている電源条件を満たすと、比較器６の比較結果に応じて、該画像処理装置２０の電源電力の起動／遮断を指示するパルス状の電源制御信号Ｓｇを出力端子１１から該画像処理装置２０へ出力する。
【００６０】
すなわち、電源制御装置１は、パルス生成回路９が、図８に示すように、ヒステリスコンパレータである比較器６の比較結果を監視し、太陽電池２の発電電力電圧Ｖｐが比較電圧Ｖｈを通過したかチェックする（ステップＳ１０１）。
【００６１】
ステップＳ１０１で、発電電力電圧Ｖｐが比較電圧Ｖｈを通過していないとき（ステップＳ１０１で、ＮＯのとき）には、パルス生成回路９は、所定時間経過後に、再度、発電電力電圧Ｖｐが比較電圧Ｖｈを通過したかチェックする（ステップＳ１０１）。
【００６２】
ステップＳ１０１で、発電電力電圧Ｖｐが比較電圧Ｖｈを通過し、その通過方向が上昇通過であると、パルス生成回路９は、動作信号Ｓｃがアサートされているかチェックする（ステップＳ１０２）。この場合、発電電力電圧Ｖｐが比較電圧Ｖｈよりも低い電圧値から高い電圧値へと通過している。
【００６３】
ステップＳ１０２で、動作信号Ｓｃがアサートされていないとき（ステップＳ１０２で、ＮＯのとき）には、パルス生成回路９は、ステップＳ１０１に戻って、発電電力電圧Ｖｐが比較電圧Ｖｈを通過したかのチェックから上記同様に処理する。
【００６４】
ステップＳ１０２で、動作信号Ｓｃがアサートされていると（ステップＳ１０２で、ＹＥＳのとき）、パルス生成回路９は、照度検出信号をアサートした後（ステップＳ１０３）、該照度検出信号の状態に応じた電源制御信号Ｓｇを画像処理装置２０へ出力する（ステップＳ１０４）。この場合、パルス生成回路９は、電源オンを指示する電源制御信号Ｓｇを出力する。
【００６５】
ステップＳ１０１で、発電電力電圧Ｖｐが比較電圧Ｖｈを通過し、その通過方向が下降通過であると、パルス生成回路９は、動作信号Ｓｃがアサートされているかチェックする（ステップＳ１０５）。この場合、発電電力電圧Ｖｐが比較電圧Ｖｈよりも高い電圧値から低い電圧値へと通過している。
【００６６】
ステップＳ１０５で、動作信号Ｓｃがアサートされていないとき（ステップＳ１０５で、ＮＯのとき）には、パルス生成回路９は、ステップＳ１０１に戻って、発電電力電圧Ｖｐが比較電圧Ｖｈを通過したかのチェックから上記同様に処理する。
【００６７】
ステップＳ１０５で、動作信号Ｓｃがアサートされていると（ステップＳ１０５で、ＹＥＳのとき）、パルス生成回路９は、照度検出信号をネゲートした後（ステップＳ１０６）、該照度検出信号の状態に応じた電源制御信号Ｓｇを画像処理装置２０へ出力する（ステップＳ１０４）。この場合、パルス生成回路９は、電源オフを指示する電源制御信号Ｓｇを出力する。
【００６８】
そして、画像処理装置２０は、この電源制御装置１からの電源制御信号Ｓｇに基づいて、電源起動／遮断回路２７による電源電力Ｐｂの供給／供給停止を制御することができる。
【００６９】
例えば、図９に示すように、画像処理装置２０、すなわち、電源制御装置１の設置環境の照度（光量）が徐々に大きくなり、照明が点灯されて、比較器６に入力される発電電力電圧Ｖｐが、さらに大きくなる。そして、発電電力電圧Ｖｐが、所定の不感帯幅を有する比較電圧Ｖｈの図９に照度Ｖｈ＋で示す上側比較電圧Ｖｈ＋を上回ると、パルス生成回路９が、画像処理装置２０の電源状態を示す動作信号Ｓｃをチェックする。パルス生成回路９は、動作信号Ｓｃがローレベル（ネゲート）であると、電源制御信号Ｓｇとしてローレベルの信号を出力する。この段階では、画像処理装置２０の電源はオンされず、その後、操作部２９の電源スイッチ２９ａがオン操作されることで、画像処理装置２０の電源状態がオン状態となる。
【００７０】
そして、その後、画像処理装置２０の設置環境の照度が低下して、下側比較電圧Ｖｈを下回ると、動作信号Ｓｃがハイレベル（アサート）であるので、パルス生成回路９は、ローレベルの電源制御信号Ｓｇを出力する。そして、電源スイッチ２９ａがオフ操作されることで、画像処理装置２０の電源状態がオフ状態となる。
【００７１】
したがって、例えば、オフィス等に設置された画像処理装置２０に電源制御装置１が適用されると、夜間や休日等の照明が消灯されている期間に、画像処理装置２０の電源をオフに維持することができ、消費電力を適切に削減することができる。
【００７２】
このように、本実施例の電源制御装置１は、電力で動作する機器である画像処理装置２０に接続され、該画像処理装置２０の電力制御を行う電源制御装置であって、環境光を受光して発電する太陽電池（光発電手段）２と、太陽電池２の発電電力で動作し、該発電電力量に基づいて前記環境光の光量を検出する比較器（光量検出手段）６と、太陽電池２の発電電力で動作し、画像処理装置２０から該画像処理装置２０の電力状態を示す動作信号（状態信号）Ｓｃを取得し、該動作信号Ｓｃと比較器６の検出する前記環境光の光量に基づいて、該画像処理装置２０の電力状態を指示する電源制御信号（電力制御信号）Ｓｇを出力するパルス生成回路（制御手段）９と、を備えている。
【００７３】
したがって、電源制御装置１の備えている太陽電池２の発電電力のみで動作して、制御対象の画像処理装置２０からの動作信号Ｓｃと太陽電池２の発電光量に基づいて、電源制御信号Ｓｇを出力することができる。その結果、環境光に基づく電力制御を、安価かつ効率的に行うことができる。
【００７４】
また、本実施例は、電力で動作する機器としての画像処理装置２０と、該画像処理装置２０の電力を制御する電源制御装置１と、が接続される電力制御システムであって、前記電力制御装置１が、環境光を受光して発電する太陽電池２と、太陽電池２の発電電力で動作し、該発電電力量に基づいて前記環境光の光量を検出する比較器６と、太陽電池２の発電電力で動作し、画像処理装置２０から該画像処理装置２０の電力状態を示す動作信号（状態信号）Ｓｃを取得し、該動作信号Ｓｃと比較器６の検出する前記環境光の光量に基づいて、該画像処理装置２０の電力状態を指示する電源制御信号（電力制御信号）Ｓｇを出力するパルス生成回路９と、を備え、前記画像処理装置２０が、自機の電力状態を示す動作信号Ｓｃを前記電源制御装置１に出力するコントローラ（状態信号出力手段）３１と、電源制御装置１からの電源制御信号Ｓｇに基づいて、自機の電力状態を制御する電源起動／遮断回路（電力状態制御手段）２７と、を備えている。
【００７５】
したがって、電源制御装置２の備えている太陽電池２の発電電力のみで動作して、制御対象の画像処理装置２０からの動作信号Ｓｃと太陽電池２の発電光量に基づいて、電源制御信号Ｓｇを出力することができる。その結果、環境光に基づく電力制御を、安価かつ効率的に行うことができる。
【００７６】
さらに、本実施例は、電力で動作する画像処理装置２０に接続され、該画像処理装置２０の電力制御を行う電源制御装置１における電源制御方法であって、環境光を受光して発電する太陽電池（光発電手段）２の発電電力で動作し、該発電電力量に基づいて前記環境光の光量を検出する光量検出処理ステップと、太陽電池２の発電電力で動作し、画像処理装置２０から該画像処理装置２０の電力状態を示す動作信号Ｓｃを取得し、該動作信号Ｓｃと光量検出処理ステップで検出される前記環境光の光量に基づいて、該画像処理装置２０の電力制御を行う電源制御信号（電力制御信号）Ｓｇを出力する制御処理ステップと、を有する電源制御方法を実行している。
【００７７】
したがって、電源制御装置２の備えている太陽電池２の発電電力のみで動作して、制御対象の画像処理装置２０からの動作信号Ｓｃと太陽電池２の発電光量に基づいて、電源制御信号Ｓｇを出力することができる。その結果、環境光に基づく電力制御を、安価かつ効率的に行うことができる。
【００７８】
また、本実施例の電源制御装置１は、前記光量検出手段である比較器６が、前記環境光の光量を予め設定されている設定光量と比較して、比較結果を出力し、前記制御手段であるパルス生成回路９が、比較器６の出力する前記比較結果及び動作信号Ｓｃに基づいて、前記電源制御信号Ｓｇを出力する。
【００７９】
したがって、制御対象の機器器である画像処理装置２０の設置環境や利用状況等に応じて予め設定されている設定光量と太陽電池２の発電光量を比較して、電源制御信号Ｓｇを出力することができる。その結果、環境光に基づく電力制御を、より一層安価かつ効率的に行うことができる。
【００８０】
さらに、本実施例の電源制御装置１は、パルス生成回路９が、動作信号Ｓｃに応じて、前記環境光の光量が前記設定光量を上回ると、画像処理装置２０の電力のオンを指示し、該環境光の光量が該設定光量を下回ると、画像処理装置２０の電力のオフを指示する前記電源制御信号Ｓｇを出力する。
【００８１】
したがって、制御対象の機器である画像処理装置２０の設置環境や利用状況等に応じて予め設定されている設定光量と太陽電池２の発電光量に応じて簡単かつ適切に電源制御信号Ｓｇを出力することができる。その結果、環境光に基づく電力制御を、より一層安価かつ効率的に行うことができる。
【実施例２】
【００８２】
図１０及び図１１は、本発明の電源制御装置、画像処理装置、電源制御システム及び電源制御方法の第２実施例を示す図であり、図１０は、本発明の電源制御装置、画像処理装置、電源制御システム及び電源制御方法の第１実施例を適用した電源制御装置５０の回路構成図である。
【００８３】
なお、本実施例は、上記第１実施例の電源制御装置１と同様の電源制御装置５０に適用したものであり、本実施例の説明においては、上記第１実施例の電源制御装置１と同様の構成部分には、同一の符号を付与して、その説明を省略する。また、本実施例は、電源制御装置５０を第１実施例の画像処理装置２０に適用したものとして、第１実施例の説明で用いた符号をそのまま用いて説明する。
【００８４】
本実施例の電源制御装置５０は、環境光が点灯している状態においても、電源オフ操作を可能とするとともに、電源オンを指示する環境光の照度を、適宜設定可能としている。
【００８５】
図１０において、電源制御装置５０は、上記第１実施例の電源制御装置１と同様の太陽電池２、ダイオード３、レギュレータ４、コンデンサ５、比較器６、抵抗７、８、パルス生成回路９及び入力端子１０と出力端子１１等を備えているとともに、抵抗５１、可変抵抗５２からなる比較電圧調整部５３、抵抗５４、コンデンサ５５及びＡＮＤ回路５６等を備えている。
【００８６】
比較電圧調整部（設定手段）５３は、抵抗５１と可変抵抗５２が直列接続され、抵抗５１と可変抵抗５２との間のラインが、比較器６の比較入力に接続されている抵抗７に、接続されている。比較電圧調整部５３は、抵抗５１にレギュレータ４の生成する装置電源電力Ｐｃが供給され、ユーザが可変抵抗５２の抵抗値を操作することで、比較器６の比較電圧Ｖｈを適宜変更することができる。
【００８７】
電源制御装置５０は、比較器６の出力とパルス生成回路９との間に、抵抗５４が直列接続され、接地との間にコンデンサ５５が挿入されている。したがって、比較器６の出力が、抵抗５４とコンデンサ５５で決定される時定数で放電される。
【００８８】
また、ＡＮＤ回路５６は、レギュレータ４の生成する装置電源電力Ｐｃが供給され、比較器６の出力と太陽電池２の出力が入力される。ＡＮＤ回路５６は、比較器６の出力と太陽電池２の出力の双方がハイのときにハイレベル信号を、パルス生成回路９のクリア端子に出力する。
【００８９】
パルス生成回路９は、クリア端子にＡＮＤ回路５６からハイレベル信号が入力されていると、電源制御信号Ｓｇの出力を停止し、クリア端子にローレベル信号が入力されているときにのみ、比較器６の出力と動作信号Ｓｃに応じて電源制御信号Ｓｇを出力する。
【００９０】
次に、本実施例の作用について説明する。本実施例の電源制御装置５０は、環境光に基づく電力制御を、設置環境等に応じて安価かつより一層効率的に行う。
【００９１】
すなわち、本実施例の電源制御装置５０は、比較器６の比較電圧Ｖｈを調整する比較電圧調整部５３を備えている。比較電圧調整部５３は、可変抵抗５２を備えており、この可変抵抗５２の抵抗値をユーザが調整することで、比較器６の比較電圧Ｖｈを調整することができる。
【００９２】
したがって、ユーザは、可変抵抗５２の抵抗値を調整することで、画像処理装置２０の設置されている環境光の照度がどの程度の間は、画像処理装置２０の電源をオンにさせ、どの程度以下のときには、電源をオフにしておくかを調整することができる。
【００９３】
したがって、電源制御装置５０、すなわち、画像処理装置２０の設置環境や利用状況に応じて、比較電圧Ｖｈを調整して、消費電力をより一層効率的に削減することができる。
【００９４】
また、本実施例の電源制御装置５０は、ＡＮＤ回路５６を設けて、その出力をパルス生成回路９のクリア端子に入力している。そして、ＡＮＤ回路５６の入力に、比較器６の出力と太陽電池２の出力を入力しており、比較器６の出力がパルス生成回路９の動作をクリアして、電源制御信号Ｓｇの出力を停止させる。
【００９５】
すなわち、電源制御装置５０は、画像処理装置２０の設置環境の照明が点灯しているときに、ユーザが操作部２９の電源スイッチ２９ａをオフ操作した場合、図１１に示すように、電源制御信号Ｓｇによって、再度電源がオンになることがある。この場合、図１１に示すように、電源スイッチ２９ａがオフ操作されることで、電源起動／遮断回路２７が装置電源電力Ｐｃをオフにし、コントローラ３１ａからの動作信号Ｓｃがローレベルとなる。この状態において、電源制御装置５０は、発電電力電圧Ｖｐが比較電圧Ｖｈを通過すると、パルス生成回路９が、電源制御信号Ｓｇを出力し、画像処理装置２０の電源が再度供給されるおそれがある。
【００９６】
そこで、本実施例の電源制御装置５０は、図１２に示すように、ＡＮＤ回路５６が設けられており、ＡＮＤ回路５６は、環境光がハイレベルで、かつ、比較器６の出力がハイレベルになると、パルス生成回路９のクリア端子にハイレベルのクリア信号を出力する。そして、パルス生成回路９は、一旦電源制御信号Ｓｇを出力した後に、クリア端子にハイレベルのクリア信号が入力されると、図１２に示すように、以降、比較器６の出力がハイに切り替わって動作信号Ｓｃがローレベルであっても、電源制御信号Ｓｇの出力を禁止する。
【００９７】
したがって、画像処理装置２０の設置環境の照明が点灯されているときに、ユーザが操作部２９の電源スイッチ２９ａをオフ操作すると、画像処理装置２０の電源オフ状態を維持する。
【００９８】
このように、本実施例の電源制御装置５０は、前記設定光量を適宜の光量に設定する比較電圧調整部（設定手段）５３を備えている。
【００９９】
したがって、制御対象の機器である画像処理装置２０の設置環境や利用状況に応じて、設定光量を適宜設定することができ、環境光に基づく電力制御を、より一層安価かつ効率的に行うことができる。
【０１００】
なお、上記説明においては、比較電圧Ｖｈを調整するのに、可変抵抗５２を用いているが、比較電圧Ｖｈの調整方法は、可変抵抗５２を用いる方法に限るものではない。例えば、図１３に示す電源制御装置６０のように、抵抗切替器６１を備えた比較電圧調整部６２を用いてもよい。抵抗切替器(設定手段)６１は、複数の抵抗６１ａ〜６１ｃ、切替スイッチ６１ｋ及び入力端子６１ｔ等を備えており、入力端子６１ｔには、画像処理装置２０のコントローラ３１から切替信号が入力される。抵抗切替器６１は、上記抵抗５１に直列に接続されており、切替スイッチ６１ｋによって抵抗５１に対して、抵抗６１ａ〜６１ｃが選択的に接続される。抵抗切替器６１は、入力端子６１ｔにコントローラ３１から入力される切替信号によって切替スイッチ６１ｔが接続先の抵抗６１ａ〜６１ｃを選択的に切り替える。抵抗６１ａ〜６１ｃは、それぞれ異なる抵抗値を有しており、切り替えられることで、比較器６の比較電圧Ｖｈを複数の電圧値に切り替える。
【０１０１】
このようにすると、画像処理装置２０の設置環境や利用状況等に応じて適宜の比較電圧Ｖｈを容易に選択することができ、利用性を向上させることができる。
【０１０２】
なお、上記各実施例の説明においては、画像処理装置２０の電源のオン／オフを制御するために、電源制御装置１、５０、６０を用いた場合について説明したが、電源制御装置１、５０、６０の利用は、電源オン／オフ制御に限るものではない。
【０１０３】
例えば、電源制御装置１、５０、６０は、図１４から図１６に示すように、画像処理装置２０の蓄電池２４の充電制御に用いてもよい。
【０１０４】
すなわち、この場合、図１４に示すように、ＡＣアダプタ２１及び切替回路２２と充電回路２３との接続ラインにスイッチ３３が設けられており、スイッチ３３は、入力端子３２に接続されていて、入力端子３２から電源制御信号Ｓｇが入力される。
【０１０５】
スイッチ３３は、電源制御信号Ｓｇが、例えば、夜間等のように、画像処理装置２０の環境光の照度が低下することを示すと、オンになる。
【０１０６】
画像処理装置２０は、スイッチ３３がオンになることで、充電回路２３が外部ＤＣ電源電力Ｖ＿ＡＣを利用して、蓄電池２４を充電する。
【０１０７】
この場合、電源制御装置１、５０、６０は、例えば、図１５に示すような充電制御信号出力制御処理を行う。すなわち、電源制御装置１、５０、６０は、パルス生成回路９が、図１５に示すように、ヒステリスコンパレータである比較器６の比較結果を監視し、太陽電池２の発電電力電圧Ｖｐが比較電圧Ｖｈを通過したかチェックする（ステップＳ２０１）。
【０１０８】
ステップＳ２０１で、発電電力電圧Ｖｐが比較電圧Ｖｈを通過していないとき（ステップＳ２０１で、ＮＯのとき）には、パルス生成回路９は、所定時間経過後に、再度、発電電力電圧Ｖｐが比較電圧Ｖｈを通過したかチェックする（ステップＳ２０１）。
【０１０９】
ステップＳ２０１で、発電電力電圧Ｖｐが比較電圧Ｖｈを通過し、その通過方向が上昇通過であると、パルス生成回路９は、動作信号Ｓｃがアサートされているかチェックする（ステップＳ２０２）。この場合、発電電力電圧Ｖｐが比較電圧Ｖｈよりも低い電圧値から高い電圧値へと通過している。
【０１１０】
ステップＳ２０２で、動作信号Ｓｃがアサートされていないとき（ステップＳ２０２で、ＮＯのとき）には、パルス生成回路９は、ステップＳ２０１に戻って、発電電力電圧Ｖｐが比較電圧Ｖｈを通過したかのチェックから上記同様に処理する。
【０１１１】
ステップＳ２０２で、動作信号Ｓｃがアサートされていると（ステップＳ２０２で、ＹＥＳのとき）、パルス生成回路９は、照度検出信号をアサートした後（ステップＳ２０３）、スイッチ３３をオフにさせる充電制御信号Ｓｊを画像処理装置２０へ出力する（ステップＳ２０４）。
【０１１２】
ステップＳ２０１で、発電電力電圧Ｖｐが比較電圧Ｖｈを通過し、その通過方向が下降通過であると、パルス生成回路９は、動作信号Ｓｃがアサートされているかチェックする（ステップＳ２０５）。この場合、発電電力電圧Ｖｐが比較電圧Ｖｈよりも高い電圧値から低い電圧値へと通過している。
【０１１３】
ステップＳ２０５で、動作信号Ｓｃがアサートされていないとき（ステップＳ２０５で、ＮＯのとき）には、パルス生成回路９は、ステップＳ２０１に戻って、発電電力電圧Ｖｐが比較電圧Ｖｈを通過したかのチェックから上記同様に処理する。
【０１１４】
ステップＳ２０５で、動作信号Ｓｃがアサートされていると（ステップＳ２０５で、ＹＥＳのとき）、パルス生成回路９は、照度検出信号をネゲートした後（ステップＳ２０６）、スイッチ３３をオンにさせる充電制御信号Ｓｊを画像処理装置２０へ出力する（ステップＳ２０４）。
【０１１５】
このようにすると、蓄電池２４の充電を、例えば、画像処理装置２０が設定されている環境光が消灯される夜間、昼休み、休日等に充電することができ、充電効率を向上させることができる。
【０１１６】
また、この場合、例えば、図１５に示すように、スイッチ３３の制御信号の入力ラインにＯＲ回路３４を設け、電源制御装置１、５０、６０による充電制御と、コントローラ３１による充電制御と、を一緒に行ってもよい。この場合、コントローラ３１は、例えば、内蔵のソフトタイマーを利用して、予め設定された時間帯、例えば、深夜の電気料金の安い時間帯等にスイッチ３３をオンさせるタイマ充電制御信号Ｓｔを、ＯＲ回路３４を介して、スイッチ３３に出力する。
【０１１７】
このように、本実施例の電源制御装置１は、前記機器である画像処理装置２０が二次電池である蓄電池２４による電池電力Ｖ＿ＢＡＴとＡＣアダプタ２１からの外部ＤＣ電源電力Ｖ＿ＡＣの２系統の電源電力を備えている場合に、パルス生成回路９が、動作信号Ｓｃと比較器６の検出する前記環境光の光量に基づいて、画像処理装置２０の蓄電池２４への充電を制御する充電制御信号Ｓｊをも出力する。
【０１１８】
したがって、制御対象の機器である画像処理装置２０が蓄電池（二次電池）２４を備えている場合に、ユーザの利用性や電気料金等を考慮した蓄電池２４の充電を安価かつ効率的に行うことができる。
【０１１９】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１２０】
１  電源制御装置
２  太陽電池
３  ダイオード
４  レギュレータ
５  コンデンサ
６  比較器
７、８  抵抗
９  パルス生成回路
１０  入力端子
１１  出力端子
２０  画像処理装置
２１  ＡＣアダプタ
２１ａ  プラグ
２２  切替回路
２３  充電回路
２４  蓄電池
２５  電源生成回路
２６  抵抗
２７  電源起動／遮断回路
２８  ＯＲ回路
２９  操作部
２９ａ  電源スイッチ
３０  ＯＲ回路
３１  コントローラ
３２  入力端子
３３  スイッチ
３４  ＯＲ回路
４１、４２、４３  ＦＥＴ
４４、４５、４６  抵抗
５０  電源制御装置
５１  抵抗
５２  可変抵抗
５３  比較電圧調整部
５４  抵抗
５５  コンデンサ
５６  ＡＮＤ回路
６０  電源制御装置
６１  抵抗切替器
６２  比較電圧調整部
６１ａ〜６１ｃ  抵抗
６１ｋ  切替スイッチ
６１ｔ  入力端子
Ｖ＿ＡＣ  外部ＤＣ電源電力
Ｖ＿ＣＨ  充電電力
Ｖ＿ＢＡＴ  電池電力
Ｖ＿ＢＡＴ＿ＡＣ  選択電源電力
Ｐｃ  装置電源電力
Ｖｐ  発電電力電圧
Ｖｈ  比較電圧
Ｓｃ  動作信号
Ｓｇ  電源制御信号
Ｓｓ  電源オン／オフ指示信号
Ｓｐ  電源オン／オフ制御信号
Ｓｉ  電源維持信号
Ｐｂ  電源電力
Ｓｔ  タイマ充電制御信号
【先行技術文献】
【特許文献】
【０１２１】
【特許文献１】特開２０１１−０９７７９５号公報
【図１】
2015005076.tif 000003
【図２】
2015005076.tif 000004
【図３】
2015005076.tif 000005
【図４】
2015005076.tif 000006
【図５】
2015005076.tif 000007
【図６】
2015005076.tif 000008
【図７】
2015005076.tif 000009
【図８】
2015005076.tif 000010
【図９】
2015005076.tif 000011
【図１０】
2015005076.tif 000012
【図１１】
2015005076.tif 000013
【図１２】
2015005076.tif 000014
【図１３】
2015005076.tif 000015
【図１４】
2015005076.tif 000016
【図１５】
2015005076.tif 000017
【図１６】
2015005076.tif 000018